(57)【特許請求の範囲】
【請求項１】
直接照明用光源が取り付けられ直接照明用光源の光を下方に放射する向きで天井面に固定される器具本体と、器具本体に保持されて天井面へ光を放射する間接照明用光源と、器具本体に収納されて直接照明用光源を点灯させる直接照明用点灯手段と、器具本体に収納されて間接照明用光源を点灯させる間接照明用点灯手段と、透光性を有する材料からなり天井面と間接照明用光源との間に介在する透光カバーと、透光性を有さない材料からなり直接照明用光源と間接照明用光源との間に介在するとともに下方から見て間接照明用光源を覆う遮光体とを備えることを特徴とする照明器具。
【請求項２】
間接照明用光源はレンズが一体化された発光ダイオード素子からなり、間接照明用光源の光軸が天井面に平行となる向きに向けられていることを特徴とする請求項１記載の照明器具。
【請求項３】
器具本体に保持されて少なくとも一部が間接照明用光源の下側に位置し間接照明用光源の光を天井面へ向けて配光する間接照明用配光体を備えることを特徴とする請求項１又は請求項２記載の照明器具。
【発明の詳細な説明】
【技術分野】
【０００１】
本発明は、天井面に取り付けられる照明器具に関するものである。
【背景技術】
【０００２】
従来から、天井面に取り付けられる照明器具として、例えば蛍光灯からなり下方へ光を放射する直接照明用光源と、例えば白熱灯からなり天井面へ光を放射する間接照明用光源とを備えるものが提供されている（例えば、特許文献１参照）。
【特許文献１】特開平７−２２０５０８号公報
【発明の開示】
【発明が解決しようとする課題】
【０００３】
上記従来の照明器具においては、間接照明用光源の光を通すために間接照明用光源の上側を開放していたため、間接照明用光源の周囲に埃が溜まりやすく、掃除が困難であった。
【０００４】
本発明は上記事由に鑑みて為されたものであり、その目的は、間接照明用光源の周囲に埃が溜まりにくい照明器具を提供することにある。
【課題を解決するための手段】
【０００５】
請求項１の発明は、直接照明用光源が取り付けられ直接照明用光源の光を下方に放射する向きで天井面に固定される器具本体と、器具本体に保持されて天井面へ光を放射する間接照明用光源と、器具本体に収納されて直接照明用光源を点灯させる直接照明用点灯手段と、器具本体に収納されて間接照明用光源を点灯させる間接照明用点灯手段と、透光性を有する材料からなり天井面と間接照明用光源との間に介在する透光カバーと、透光性を有さない材料からなり直接照明用光源と間接照明用光源との間に介在するとともに下方から見て間接照明用光源を覆う遮光体とを備えることを特徴とする。
【０００６】
この発明によれば、透光カバーにより、間接照明用光源の周囲に埃が溜まりにくくなる。また、直接照明用光源によって照明される範囲と間接照明用光源によって照明される範囲とが遮光体によって分けられるから、例えば直接照明用光源と間接照明用光源とを個別に点灯させる場合や、直接照明用光源と間接照明用光源とで互いに印象の異なる種類の光源を用いる場合に、直接照明用光源と間接照明用光源との差を明確にすることができる。
【０００７】
請求項２の発明は、請求項１の発明において、間接照明用光源はレンズが一体化された発光ダイオード素子からなり、間接照明用光源の光軸が天井面に平行となる向きに向けられていることを特徴とする。
【０００８】
この発明によれば、発光ダイオード素子の光軸を天井面に向ける場合に比べ、天井面を広範囲にわたって照らすことができる。
【０００９】
請求項３の発明は、請求項１又は請求項２の発明において、器具本体に保持されて少なくとも一部が間接照明用光源の下側に位置し間接照明用光源の光を天井面へ向けて配光する間接照明用配光体を備えることを特徴とする。
【００１０】
この発明によれば、間接照明用配光体を設けない場合に比べて天井面をより明るく照らすことができる。
【発明の効果】
【００１３】
本発明によれば、透光性を有する材料からなり天井面と間接照明用光源との間に介在する透光カバーとを備えることにより、間接照明用光源の周囲に埃が溜まりにくくなる。また、直接照明用光源によって照明される範囲と間接照明用光源によって照明される範囲とが遮光体によって分けられるから、例えば直接照明用光源と間接照明用光源とを個別に点灯させる場合や、直接照明用光源と間接照明用光源とで互いに印象の異なる種類の光源を用いる場合に、直接照明用光源と間接照明用光源との差を明確にすることができる。
【発明を実施するための最良の形態】
【００１４】
以下、本発明を実施するための最良の形態について、図面を参照しながら説明する。
【００１５】
本実施形態は、図１に示すように、例えば周知の引掛シーリングによって天井面に固定される器具本体１と、器具本体１を囲む環形状であって器具本体１の外周部に支持される枠体２とを備える。下方に光を放射する直接照明用光源としての環形状の蛍光灯３は器具本体１の下側に取り付けられ、間接照明用光源としての発光ダイオード素子４１（図２参照）を有するＬＥＤブロック４は枠体２の上側に取り付けられる。器具本体１の下面は例えば白色に塗装されており、蛍光灯３の光を下方へ配光する。また、器具本体１には、図２に示すように、蛍光灯３を点灯させる電力を生成する蛍光灯点灯装置１１と、発光ダイオード素子４１を点灯させる電力を生成するＬＥＤ点灯装置１２と、蛍光灯点灯装置１１とＬＥＤ点灯装置１２とをそれぞれ制御する制御装置１３とがそれぞれ収納されている。制御装置１３は、外部から信号線を介して又はワイヤレス信号として入力される制御信号を受信する受信手段を備え、受信手段に受信された制御信号に応じて、蛍光灯点灯装置１１とＬＥＤ点灯装置１２とをそれぞれ制御することにより、蛍光灯３と発光ダイオード素子４１とを個別に点灯・消灯及び調光させる。各点灯装置１１，１２及び制御装置１３はそれぞれ商用電源ＡＣから電力を供給される。各点灯装置１１，１２及び制御装置１３はそれぞれ周知の技術で実現可能であるので、詳細な説明及び図示は省略する。
【００１６】
枠体２は例えば合成樹脂成形品からなり、図３に示すように、器具本体１の上側に位置する円環形状の内周部２１と、内周部２１の外側端部から下方に突設された連結部２２と、連結部２２の下端から水平方向外向きに突設された円環形状の中間部２３と、中間部２３の外側端部から下方に突設されて蛍光灯３とＬＥＤブロック４との間に介在する内側覆い部２４と、内側覆い部２４の下端部から水平方向外向きに突設された円環形状であって下方から見てＬＥＤブロック４を覆う下側覆い部２５と、下側覆い部２５の外周端から上方へ突設された環形凸部２６とを有する。下側覆い部２５の上面及び内側覆い部２４の外周面にはそれぞれ例えば銀の蒸着が施されており、発光ダイオード素子４１の光を通さず反射して上方や水平方向の外側へ配光する。つまり、枠体２が請求項における間接照明用配光体であり、遮光体でもある。また、枠体２の内側覆い部２４によって蛍光灯３とＬＥＤブロック４との間が仕切られていることにより、蛍光灯３の輻射熱が阻止されるから、ＬＥＤブロック４の温度上昇が抑制されている。さらに、蛍光灯３と発光ダイオード素子４１との相互の光が他方側へ漏れることがなく、かつ、ＬＥＤブロック４の下側に枠体２の下側覆い部２５が位置することにより、発光ダイオード素子４１の光が下方へ出射されることもないから、蛍光灯３によって照明される範囲と発光ダイオード素子４１によって照明される範囲とが峻別される。従って、蛍光灯３のみを点灯させたときと発光ダイオード素子４１のみを点灯させたときとで明確に照明の視覚的効果を異ならせることができる。なお、銀の蒸着に代えて例えば周知の鏡面仕上げによって枠体２の下側覆い部２５の上面及び内側覆い部２４の外周面がそれぞれ発光ダイオード素子４１の光を反射するようにしてもよい。また、銀の蒸着や鏡面仕上げを施さない場合には、枠体２を構成する合成樹脂としてなるべく白色に近いものを用いることが、発光ダイオード素子４１の光の利用効率を高めるためには望ましい。
【００１７】
ＬＥＤブロック４は、発光ダイオード素子４１と、４個の発光ダイオード素子４１が直線状に並んで実装されたプリント配線板４２とからなる。発光ダイオード素子４１は、発光ダイオードチップ（図示せず）を封止する封止樹脂が発光ダイオードチップの光を集光するレンズを兼ねているピン実装形（いわゆる砲弾形）のものである。プリント配線板４２は、枠体２に引掛支持される取付板４０に例えばねじ止めにより固定される。詳しく説明すると、取付板４０は、例えば金属板に曲げ加工が施されてなり、一面にプリント配線板４２が固定される保持部４０ａと、保持部４０ａの上端部から保持部４０ａの厚さ方向であってプリント配線板４２が固定される側の反対側へ突設された連結部４０ｂと、連結部４０ｂの一端から連結部４０ｂの厚さ方向に突設されて保持部４０ａに対向する被係止部４０ｃとを有する。枠体２の中間部２３の上面には係止凹部２３ａが設けられており、この係止凹部２３ａに被係止部４０ｃが係止されることによって取付板４０は枠体２に支持される。枠体２には、図４に示すように８個のＬＥＤブロック４が、発光ダイオード素子４１が並ぶ方向を周方向に向けるとともに発光ダイオード素子４１の光軸を径方向に向け、周方向に並んで等間隔に４５°ずつ位置をずらして配置されている。
【００１８】
また、図５に示すように、透光性を有する材料からなり器具本体１の下側に取り付けられて器具本体１との間で蛍光灯３を覆うセード５と、透光性を有する材料からなり枠体２の上側に重なる環形状であって枠体２との間でＬＥＤブロック４を覆う透光カバー６とを備える。ＬＥＤブロック４は、上方から見て透光カバー６に覆われる。セード５と透光カバー６との材料としては、具体的には例えばアクリル樹脂やガラスを用いることができる。
【００１９】
透光カバー６は、枠体２の連結部２２を囲む円環形状であって枠体２の中間部２３及び取付板４０の連結部４０ｂの上に載置される内周部６１と、内周部６１の外側端部から下方へ突設され全体として下方に向かって内径及び外径をそれぞれ大きくするように傾斜した円錐台形部６２と、円錐台形部６２の下端から内側へ突設された円環形状の段差部６３と、段差部６３の内側端部から下方に突設された環形凸部６４とを有する。透光カバー６の段差部６３は枠体２の環形凸部２６の上側に位置し、透光カバー６の環形凸部６４は枠体２の環形凸部２６の内側に位置している。また、円錐台形部６２の外面には図１に示すように径方向に長い凸部が周方向に並べて放射状に設けられることにより凹凸が形成されており、この凹凸によって発光ダイオード素子４１の光が拡散される。従って、発光ダイオード素子４１の光を柔らかい印象の光とすることができる。また、光の拡散の程度と発光ダイオード素子４１の輝度とによっては、ＬＥＤブロック４の間隔をより大きくして個数を減少させても、天井面を下方から見た全周にわたって発光ダイオード素子４１の光で照明することができる。なお、凹凸は上記のような放射状に限られず、凹凸の高低差や間隔が適当であれば、例えば図６に示すような網目状など他の形状であっても同様の効果が得られる。
【００２０】
上記構成によれば、透光カバー６によってＬＥＤブロック４の上側が覆われることにより、ＬＥＤブロック４の周囲に埃が溜まりにくく、掃除が容易となっている。
【００２１】
なお、透光カバー６に代え、ＬＥＤブロック４の水平方向の外側の部位や上側の部位のみ透光性を有する材料で構成したカバー（図示せず）を用いてもよい。このようなカバーを用いる場合、カバーにおいて透光性を有する材料で構成した部位が請求項における透光カバーとなる。
【００２２】
また、例えば環形状の蛍光灯３に代えて直管形状の蛍光灯（図示せず）を用いたり、砲弾形の発光ダイオード素子４１に代えてレンズが一体化されていない面実装形の発光ダイオード素子４３（図７参照）や白熱灯（図示せず）を用いるなど、本実施形態のような蛍光灯３や発光ダイオード素子４１に代えて他の形状や他の種類の光源を採用してもよいが、間接照明用光源には発光ダイオード素子を用いることが小型化のためには望ましい。
【００２３】
さらに、各部の形状は上記に限られず、例えば図７に示すように透光カバー６において円錐台形部６２の上下の寸法を小さくするとともに円錐台形部６２と段差部６３との間にＬＥＤブロック４を囲む円筒形状の筒部６５を設けるなど、適宜の変更が可能であることはいうまでもない。
【図面の簡単な説明】
【００２４】
【図１】本発明の実施形態の構造を示す図であり、左半分は正面図であり、右半分は断面図である。
【図２】同上を示すブロック図である。
【図３】同上の要部を示す断面図である。
【図４】同上において上方から見たＬＥＤブロックの配置を示す説明図である。
【図５】同上を示す斜視図である。
【図６】同上の別の形態の要部を示す正面図である。
【図７】同上の更に別の形態の要部を示す断面図である。
【符号の説明】
【００２５】
１  器具本体
２  枠体
３  蛍光灯
４  ＬＥＤブロック
６  透光カバー
１１  蛍光灯点灯装置
１２  ＬＥＤ点灯装置
１３  制御装置
４１  発光ダイオード素子
【図１】
0004779685.tif 000002
【図２】
0004779685.tif 000003
【図３】
0004779685.tif 000004
【図４】
0004779685.tif 000005
【図５】
0004779685.tif 000006
【図６】
0004779685.tif 000007
【図７】
0004779685.tif 000008